(57)【要約】  所定の長さにわたってインターロックされる第一及び第二のファスナー条片を有する開閉デバイス。各ファスナー条片は、中間エリアによって分離される第一及び第二の開閉要素を含む。第一のファスナー条片の第一の開閉要素は、第二のファスナー条片の第一の開閉要素と所定の長さにわたってインターロックされ、第一のファスナー条片の第二の開閉要素は第二のファスナー条片の第二の開閉要素と所定の長さにわたってインターロックされる。各開閉要素は、顔料で色づけされる。例えば、一方のファスナー条片の開閉要素は第一の不透明な色である。他方のファスナー条片の開閉要素は半透明な色である。ファスナー条片の中間エリアは第二の不透明な色である。開閉デバイスが閉状態であると、第一と第二の色が組み合わさって色が変化する。この変色が、開閉デバイスのいずれかの側から観察できる。
2007534443.tif 000002
【特許請求の範囲】
【請求項１】
開閉デバイスであって、
所定の長さにわたってインターロックされるように配置した第一及び第二のファスナー条片、
を含み、
前記第一のファスナー条片が、第一及び第二の開閉要素を含み、
前記第二のファスナー条片が、第一及び第二の開閉要素を含み、
前記第一のファスナー条片の前記第一の開閉要素が、前記第二のファスナー条片の前記第一の開閉要素と所定の長さにわたってインターロックされるように配置され、
前記第一のファスナー条片の前記第二の開閉要素が、前記第二のファスナー条片の前記第二の開閉要素と所定の長さにわたってインターロックされるように配置され、
前記第一のファスナー条片の前記第一の開閉要素が第一の色であり、
前記第一のファスナー条片の前記第二の開閉要素が第二の色であり、
前記第二のファスナー条片の前記第一の開閉要素が第三の色であり、
前記第二のファスナー条片の前記第二の開閉要素が第四の色であり、
前記第一のファスナー条片の前記第一の開閉要素が前記第二のファスナー条片の前記第一の開閉要素とインターロックすると、前記第一と第三の色によって第五の色が生じ、
前記第一のファスナー条片の前記第二の開閉要素が前記第二のファスナー条片の前記第二の開閉要素とインターロックすると、前記第二と第四の色によって第六の色が生じ、
前記第一のファスナー条片の前記第一と第二の開閉要素が、第一の中間エリアによって分離され、
前記第二のファスナー条片の前記第一と第二の開閉要素が、第二の中間エリアによって分離され、
前記第一の中間エリアが第七の色であり、
前記第二の中間エリアが第八の色である、
ところの開閉デバイス。
【請求項２】
請求項１の開閉デバイスであって、
前記第七の色と前記第八の色が透明である、
ところの開閉デバイス。
【請求項３】
請求項２の開閉デバイスであって、
前記第七の色と前記第八の色が無色透明である、
ところの開閉デバイス。
【請求項４】
請求項１の開閉デバイスであって、
前記第七の色が透明であり、
前記第八の色が白色である、
ところの開閉デバイス。
【請求項５】
請求項４の開閉デバイスであって、
前記第七の色が無色透明である、
ところの開閉デバイス。
【請求項６】
請求項１の開閉デバイスであって、
前記第七の色と前記第八の色によって第九の色が生じる、
ところの開閉デバイス。
【請求項７】
請求項１の開閉デバイスであって、
前記第一と第二の色が同一であり、
前記第三と第四の色が同一であり、
前記第五と第六の色が同一である、
ところの開閉デバイス。
【請求項８】
請求項７の開閉デバイスであって、
前記第一と第二の色が黄色であり、
前記第三と第四の色が青色であり、
前記第五と第六の色が緑色である、
ところの開閉デバイス。
【請求項９】
請求項８の開閉デバイスであって、
前記第一と第二の色が不透明な黄色であり、
前記第三と第四の色が半透明な青色であり、
前記第七の色が透明であり、
前記第八の色が透明である、
ところの開閉デバイス。
【請求項１０】
請求項９の開閉デバイスであって、
前記第七の色と前記第八の色が無色透明である、
ところの開閉デバイス。
【請求項１１】
請求項８の開閉デバイスであって、
前記第一と第二の色が不透明な黄色であり、
前記第三と第四の色が半透明な青色であり、
前記第七の色が透明であり、
前記第八の色が白色である、
ところの開閉デバイス。
【請求項１２】
請求項１１の開閉デバイスであって、
前記第七の色が無色透明である、
ところの開閉デバイス。
【請求項１３】
請求項１の開閉デバイスであって、
前記第一のファスナー条片の前記第一及び第二の開閉要素が雄型の開閉要素であり、
前記第二のファスナー条片の前記第一及び第二の開閉要素が雌型の開閉要素である、
ところの開閉デバイス。
【請求項１４】
請求項１３の開閉デバイスであって、
前記第一のファスナー条片の前記第一及び第二の開閉要素がアローヘッド開閉要素である、
ところの開閉デバイス。
【請求項１５】
請求項１３の開閉デバイスであって、
前記第一のファスナー条片の前記第一及び第二の開閉要素がＵ字溝形の開閉要素である、
ところの開閉デバイス。
【請求項１６】
請求項６の開閉デバイスであって、
前記第三、第四及び第七の色が同一であり、
前記第一、第二及び第八の色が同一であり、
前記第五、第六及び第九の色が同一である、
ところの開閉デバイス。
【請求項１７】
請求項１６の開閉デバイスであって、
前記第三、第四及び第七の色が不透明な黄色であり、
前記第一、第二及び第八の色が半透明な青色であり、
前記第五、第六及び第九の色が緑色である、
ところの開閉デバイス。
【請求項１８】
開閉デバイスであって、
所定の長さにわたってインターロックされるように配置した第一及び第二のファスナー条片、
を含み、
前記第一のファスナー条片が、第一及び第二の開閉要素を含み、
前記第二のファスナー条片が、第一及び第二の開閉要素を含み、
前記第一のファスナー条片の前記第一の開閉要素が、前記第二のファスナー条片の前記第一の開閉要素と所定の長さにわたってインターロックされるように配置され、
前記第一のファスナー条片の前記第二の開閉要素が、前記第二のファスナー条片の前記第二の開閉要素と所定の長さにわたってインターロックされるように配置され、
前記第一のファスナー条片の前記第一の開閉要素が第一の色であり、
前記第一のファスナー条片の前記第二の開閉要素が第二の色であり、
前記第二のファスナー条片の前記第一の開閉要素が第三の色であり、
前記第二のファスナー条片の前記第二の開閉要素が第四の色であり、
前記第一のファスナー条片の前記第一の開閉要素が前記第二のファスナー条片の前記第一の開閉要素とインターロックすると、前記第一と第三の色によって第五の色が生じ、
前記第二のファスナー条片の前記第二の開閉要素が前記第二のファスナー条片の前記第二の開閉要素とインターロックすると、前記第二と第四の色によって第六の色が生じる、
ところの開閉デバイス。
【請求項１９】
請求項１８の開閉デバイスであって、
前記第一と第二の色が同一であり、
前記第三と第四の色が同一であり、
前記第五と第六の色が同イルである、
ところの開閉デバイス。
【請求項２０】
請求項１９の開閉デバイスであって、
前記第一と第二の色が黄色であり、
前記第三と第四の色が青色であり、
前記第五と第六の色が緑色である、
ところの開閉デバイス。
【請求項２１】
請求項２０の開閉デバイスであって、
前記第一と第二の色が不透明な黄色であり、
前記第三と第四の色が半透明な青色である、
ところの開閉デバイス。
【請求項２２】
請求項１８の開閉デバイスであって、
前記第一のファスナー条片の前記第一及び第二の開閉要素が雄型の開閉要素であり、
前記第二のファスナー条片の前記第一及び第二の開閉要素が雌型の開閉要素である、
ところの開閉デバイス。
【請求項２３】
請求項２２の開閉デバイスであって、
前記第一のファスナー条片の前記第一及び第二の開閉要素がアローヘッド開閉要素である、
ところの開閉デバイス。
【請求項２４】
請求項２２の開閉デバイスであって、
前記第一のファスナー条片の前記第一及び第二の開閉要素がＵ字溝形の開閉要素である、
ところの開閉デバイス。
【請求項２５】
請求項１８の開閉デバイスであって、
前記第一と第四の色が同一であり、
前記第二と第三の色が同一であり、
前記第五と第六の色が同一である、
ところの開閉デバイス。
【請求項２６】
請求項２５の開閉デバイスであって、
前記第一と第四の色が不透明な黄色であり、
前記第二と第三の色が半透明な青色であり、
前記第五と第六の色が緑色である、
ところの開閉デバイス。
【請求項２７】
容器であって、
第一及び第二の側壁、
を含み、
前記第一及び第二の側壁が、それぞれ、係合する第一及び第二のファスナー条片を含み、
前記第一及び第二のファスナー条片の各々が、第一及び第二の開閉要素を含み、
前記第一のファスナー条片の前記第一の開閉要素が前記第二のファスナー条片の前記第一の開閉要素と所定の長さにわたってインターロックされるように配置され、
前記第一のファスナー条片の前記第二の開閉要素が前記第二のファスナー条片の前記第二の開閉要素と所定の長さにわたってインターロックされるように配置され、
前記第一のファスナー条片の前記第一の開閉要素が第一の色であり、
前記第一のファスナー条片の前記第二の開閉要素が第二の色であり、
前記第二のファスナー条片の前記第一の開閉要素が第三の色であり、
前記第二のファスナー条片の前記第二の開閉要素が第四の色であり、
前記第一のファスナー条片の前記第一の開閉要素が前記第二のファスナー条片の前記第一の開閉要素とインターロックすると、前記第一と第三の色によって第五の色が生じ、
前記第一のファスナー条片の前記第二の開閉要素が前記第二のファスナー条片の前記第二の開閉要素とインターロックすると、前記第二と第四の色によって第六の色が生じ、
前記第一のファスナー条片の前記第一と第二の開閉要素が、第一の中間エリアによって分離され、
前記第二のファスナー条片の前記第一と第二の開閉要素が、第二の中間エリアによって分離され、
前記第一の中間エリアが第七の色であり、
前記第二の中間エリアが第八の色である、
ところの容器。
【請求項２８】
請求項２７の容器であって、
前記第七の色と前記第八の色が透明である、
ところの容器。
【請求項２９】
請求項２８の容器であって、
前記第七の色と前記第八の色が無色透明である、
ところの容器。
【請求項３０】
請求項２７の容器であって、
前記第七の色が透明であり、
前記第八の色が白色である、
ところの容器。
【請求項３１】
請求項３０の容器であって、
前記第七の色が無色透明である、
ところの容器。
【請求項３２】
請求項２７の容器であって、
前記第七の色と前記第八の色により第九の色が生じる、
ところの容器。
【請求項３３】
請求項２７の容器であって、
前記第一と第二の色が同一であり、
前記第三と第四の色が同一であり、
前記第五と第六の色が同一である、
ところの容器。
【請求項３４】
請求項３３の容器であって、
前記第一と第二の色が黄色であり、
前記第三と第四の色が青色であり、
前記第五と第六の色が緑色である、
ところの容器。
【請求項３５】
請求項３４の容器であって、
前記第一と第二の色が不透明な黄色であり、
前記第三と第四の色が半透明な青色であり、
前記第七の色が透明であり、
前記第八の色が透明である、
ところの容器。
【請求項３６】
請求項３５の容器であって、
前記第七の色と前記第八の色が無色透明である、
ところの容器。
【請求項３７】
請求項３４の容器であって、
前記第一と第二の色が不透明な黄色であり、
前記第三と第四の色が半透明な青色であり、
前記第七の色が透明であり、
前記第八の色が白色である、
ところの容器。
【請求項３８】
請求項３７の容器であって、
前記第七の色が無色透明である、
ところの容器。
【請求項３９】
請求項２７の容器であって、
前記第一のファスナー条片の前記第一及び第二の開閉要素が雄型の開閉要素であり、
前記第二のファスナー条片の前記第一及び第二の開閉要素が雌型の開閉要素である、
ところの容器。
【請求項４０】
請求項３９の容器であって、
前記第一のファスナー条片の前記第一及び第二の開閉要素がアローヘッド開閉要素である、
ところの容器。
【請求項４１】
請求項３９の容器であって、
前記第一のファスナー条片の前記第一及び第二の開閉要素がＵ字溝形の開閉要素である、
ところの容器。
【請求項４２】
請求項３２の容器であって、
前記第三、第四及び第七の色が同一であり、
前記第一、第二及び第八の色が同一であり、
前記第五、第六及び第九の色が同一である、
ところの容器。
【請求項４３】
請求項４２の容器であって、
前記第三、第四及び第七の色が不透明な黄色であり、
前記第一、第二及び第八の色が半透明な青色であり、
前記第五、第六及び第九の色が緑色である、
ところの容器。
【請求項４４】
開閉デバイスであって、
第一及び第二の側壁を含み、
前記第一及び第二の側壁が、それぞれ、係合する第一及び第二のファスナー条片を含み、
前記第一のファスナー条片が、第一及び第二の開閉要素を含み、
前記第二のファスナー条片が、第一及び第二の開閉要素を含み、
前記第一のファスナー条片の前記第一の開閉要素が前記第二のファスナー条片の前記第一の開閉要素と所定の長さにわたってインターロックされるように配置され、
前記第一のファスナー条片の前記第二の開閉要素が前記第二のファスナー条片の前記第二の開閉要素と所定の長さにわたってインターロックされるように配置され、
前記第一のファスナー条片の前記第一の開閉要素が第一の色であり、
前記第一のファスナー条片の前記第二の開閉要素が第二の色であり、
前記第二のファスナー条片の前記第一の開閉要素が第三の色であり、
前記第二のファスナー条片の前記第二の開閉要素が第四の色であり、
前記第一のファスナー条片の前記第一の開閉要素が前記第二のファスナー条片の前記第一の開閉要素とインターロックすると、前記第一と第三の色によって第五の色が生じ、
前記第一のファスナー条片の前記第二の開閉要素が前記第二のファスナー条片の前記第二の開閉要素とインターロックすると、前記第二と第四の色によって第六の色が生じる、
ところの開閉デバイス。
【請求項４５】
請求項４４の開閉デバイスであって、
前記第一と第二の色が同一であり、
前記第三と第四の色が同一であり、
前記第五と第六の色が同一である、
ところの開閉デバイス。
【請求項４６】
請求項４５の開閉デバイスであって、
前記第一と第二の色が黄色であり、
前記第三と第四の色が青色であり、
前記第五と第六の色が緑色である、
ところの開閉デバイス。
【請求項４７】
請求項４６の開閉デバイスであって、
前記第一と第二の色が不透明な黄色であり、
前記第三と第四の色が半透明な青色である、
ところの開閉デバイス。
【請求項４８】
請求項４４の開閉デバイスであって、
前記第一のファスナー条片の前記第一及び第二の開閉要素が雄型の開閉要素であり、
前記第二のファスナー条片の前記第一及び第二の開閉要素が雌型の開閉要素である、
ところの開閉デバイス。
【請求項４９】
請求項４８の開閉デバイスであって、
前記第一のファスナー条片の前記第一及び第二の開閉要素がアローヘッド開閉要素である、
ところの開閉デバイス。
【請求項５０】
請求項４８の開閉デバイスであって、
前記第一のファスナー条片の前記第一及び第二の開閉要素がＵ字溝形の開閉要素である、
ところの開閉デバイス。
【請求項５１】
請求項４４の開閉デバイスであって、
前記第一と第四の色が同一であり、
前記第二と第三の色が同一であり、
前記第五と第六の色が同一である、
ところの開閉デバイス。
【請求項５２】
請求項５１の開閉デバイスであって、
前記第一と第四の色が不透明な黄色であり、
前記第二と第三の色が半透明な青色であり、
前記第五と第六の色が緑色である、
ところの開閉デバイス。
【発明の詳細な説明】
【技術分野】
【０００１】
本発明は、インターロック式の開閉デバイス及びこれを取り付けた容器の分野に属する。本発明の開閉デバイスは、旧来のファスナーエリアに用いることができ、特に、プラスチック製のバッグのような貯蔵容器用のファスナーに適するものである。
【背景技術】
【０００２】
プラスチック製のバッグの本体のような容器の開閉（又は封口）用のファスナーデバイスの使用が一般的に知られている。また、プラスチック材料からなるファスナーデバイスの製造は、この分野の様々な特許文献に示されているように、開閉デバイスに関する当業者には一般的に知られている。
【０００３】
バッグの本体のような可撓性のある容器に結合されることが、特に良く知られているファスナーデバイスの用途である。開閉デバイス及びこれを取り付けた容器は、熱可塑性材料から形成することができ、開閉デバイスと容器の側壁が、押出成形により一体的に形成される。変形的に、開閉デバイスと容器の側壁は、別々の部品として形成され、熱シールや他の適当な結合処理によりこれら部品を結合され得る。バッグ表体にファスナーとして組み込まれる開閉デバイスは、バッグ本体内にバッグ本体に入れた物を維持させるための開閉手段を与えるのに特に有用なものであった。
【０００４】
在来の開閉デバイスは、デバイスを封口するように閉状態にされる相互に係合する雄型と雌型の開閉要素を使用する。雄型と雌型の開閉要素が閉状態にあることを確認することが困難なときがある。従って、在来の開閉デバイスが使用されると、開閉デバイスが少なくとも部分的に開状態になっている恐れがある。
【０００５】
このような問題を解決する開閉デバイスの試みが従来技術に開示されている。例えば、従来技術では、一方の開閉要素が青色であり、他方のものが黄色あるというような雄型と雌型の開閉要素を有する様々な開閉デバイスが提供されてきた。青色と黄色の開閉要素が確実に閉状態にされると、開閉デバイスは緑色となり、開閉デバイスが確実に閉状態となったことを視覚的に確認できる。それぞれ異なる色の雄型と雌型の部材が閉状態にされたときに目視される変色は、市販の製品名「ＧＬＡＤ−ＬＯＣＫ（登録商標）」（ザ・グラッド・プロダクツ・カンパニー、アメリカ合衆国カリフォルニア州オークランド）でなされているものである。
【０００６】
上記の「ＧＬＡＤ−ＬＯＣＫ（登録商標）」の製品は、従来既知のデバイスの欠点を克服する開閉デバイスを与えるものであり、消費者に許容されてきた。上記の製品は商業的に高い許容性を有するものであるが、改良された開閉デバイスが継続的に探求されている。開閉デバイスの幅がより狭いとき（つまり、開閉デバイスの幅が約９０ｍｉｌｓであるとき）に開閉デバイスの変色性が最も効果的となることが観察された。しかし、開閉デバイスが狭いと、このような開閉デバイスの開閉要素を正確に整列させることがより困難となる。従って、役１８０ｍｉｌｓ〜役３８０ｍｉｌｓのオーダーの幅を有する開閉デバイスが消費者に好まれることがわかった。
【０００７】
しかし、開閉デバイスの幅を増大すると、変色指示の効果がいくらか低減してしまう。閉状態と開嬢対との間での変色効果が低減する。上記の「ＧＬＡＤ−ＬＯＣＫ（登録商標）」の製品では、変色効果が、一方の開閉要素を不透明な黄色とし、他方を半透明な青色とすることで達成している。これら二つの開閉要素が閉状態であるときに得られる緑色は、半透明な青色の要素を通じて目視される。諸費社に好まれるように開閉要素をより大きくすると、開閉要素が完全に閉状態にされなかったときに不透明の黄色と半透明の青色の開閉要素の間の視覚的な重複部分のエリアがより大きくなる。よって、これら要素が極接近しているところ（ただし、閉じられていない）で青色の要素の色が青緑色となる。したがって、半透明の青色の開閉要素の開状態と閉状態との間の対照性が低減する。
【０００８】
従って、視覚的な変色効果が、より狭い開閉デバイスによって与えられるが、閉状態にあることがユーザーにより容易にわかるより幅広の開閉デバイスの要求がある。従来技術は、例えば、幅広の変色開閉デバイスで変色の認識性を向上させるために、デバイス内に変色付勢部材を組み込んだ開閉デバイスを含む上記のような幅広の開閉デバイスの使用に対する様々な解決案を開示してきた。このような改良した変色開閉デバイスの一例が特許文献１に開示されている。幅広の開閉デバイスの変色効果を付勢したこの変色開閉デバイスは有益であるが、開閉デバイスをより幅広にするように、変色開閉デバイスをさらに向上させることが有益である。したがって、開状態と閉状態で目視できることなった色の間で高い対照性を有し、触知のための所望の幅を有する変色開閉デバイスの要求がある。
【特許文献１】米国特許第４８２９６４１号
【非特許文献１】“Practical Color Measurement”、Anni Berger-Schunn著、John Wiley & Sons, Inc.、１９９４年、第１３頁
【発明の開示】
【発明が解決しようとする課題】
【０００９】
本発明の目的は、上記の要求を満たす開閉デバイスを提供することである。
【課題を解決するための手段】
【００１０】
本発明の一つの実施例に従って、中間エリアによって分離される第一と第二のファスナー条片を有する開閉デバイスが提供される。第一及び第二のファスナー条片は、所定の長さにわたってインターロックされるように配置される。前記第一及び第二のファスナー条片の各々は、第一及び第二の開閉要素を含み、第一のファスナー条片の第一の開閉要素は、第二のファスナー条片の第一の開閉要素と所定の長さにわたってインターロックされるように配置され、第一のファスナー条変の第二の開閉要素は、第二のファスナー条片の第二の開閉要素と所定の長さにわたってインターロックされるように配置される。一つの実施例では、第一のファスナー条片の開閉要素は、不透明であり、このファスナー条片上の中間エリアが透明又は不透明である。第二のファスナー条片の開閉要素は、半透明であり、このファスナー条片の中間エリアが透明である。
【発明の効果】
【００１１】
本発明に従って、上記の要求、すなわち、開状態と閉状態で目視できることなった色の間で高い対照性を有し、触知のための所望の幅を有する変色開閉デバイスの要求を満たすことができる。
【発明を実施するための最良の形態】
【００１２】
本発明に従って、開閉デバイスは、所定の長さにわたってインターロックされるように配置した第一及び第二のファスナー条片を含む。これらファスナー条片の各々は、一つ又はそれ以上の開閉要素を含む。これら開閉要素は、“雄型”の開閉要素又は“雌型”の開閉要素であり得る。ここで用いられ、従来技術で一般的に理解されているように、用語“雄型”と“雌型”の開閉要素について、他方の開閉要素にインターロックし、外向きに突き出したフック部を有する要素を“雄型”の開閉要素といい、他方の要素を“雌型”の開閉要素といい、内向きに突き出したフック部を有する。これら用語は、上記の構成を有する開閉デバイスを説明するために、在来的に用いられている。
【００１３】
図１は、シール可能な開閉デバイス２１を有するプラスチック製のバッグ２０の形態にある本発明に従った容器を示す。バッグ２０は、開閉デバイス２１の手段によってシールできる内部を形成するように、シーム２５で結合した側壁２２を含む。側壁２２は、入口部２７を形成するように、開閉デバイス２１の上方に張り出している。入口部２７により、開閉デバイス２１を開状態又は閉状態により利便的にでき、プラスチック製のバッグ２０をユーザーが握って、バッグ２０を開けることができる。
【００１４】
図２は、本発明の開閉デバイスの一つの実施例を示す。開閉デバイス１２１は、第一のファスナー条片１０３と第二のファスナー条片１０４を含む。第一のファスナー条片１０３は、Ｕ字溝形の雄型の開閉要素１０５、１０６を含む。第二のファスナー条片１０４は、Ｕ字溝形の雌型の開閉要素１０８、１１０を含む。
【００１５】
開閉要素１０８は、ベース部１１１を含み、ベース部１１１は、ベース部１１１から突き出してそれぞれ平行に間隔をあけて配置された一対のウェブ１１２、１１３を有する。各ウェブ１１２、１１３は、これらから突き出し内向きに向き合ったフック部１１４、１１５を含む。開閉要素１１０は、開閉要素１０８と同様のものである。開閉要素１０８は、中間エリア１２１によって開閉要素１１０から分離される。
【００１６】
開閉要素１０５は、ベース部１１９から内向きに突き出したそれぞれ平行に間隔をあけて配置された一対のウェブ１１６、１１７を含む。各ウェブ１１６、１１７は、これらから突き出し外向きに向き合ったフック部１１８、１２０を有する。開閉要素１０６は、開閉要素１０５と同様のものである。開閉要素１０５、１０６は、中間エリア１２２によって分離される。
【００１７】
非特許文献１に従って、全ての材料及び物は、色に関して三つのグループに分けることができる。（１）透明、（２）半透明、及び（３）不透明又は反射。透明材料は、“光の一部を吸収し、他の部分を散乱させずにサンプルを通過させるものであり、・・・［透明材料］は、有色又は無色である。”半透明材料は、“入射光の一部を吸収し、他の部分を通過させるだけでなく、非吸収光の一部を散乱させるものであり、・・・散乱部分は部分的に通過し、部分的に反射する。”不透明又は反射材料は、“入射光を吸収し、又は反射し、・・・光を全く通さない。”ここで使用されるように、用語“無色透明”は、その材料が色を示さないが、有色として扱う。
【００１８】
第一のファスナー条片１０３の第一及び第二の開閉要素１０５、１０６は、第一の色である。例えば、第一及び第二の開閉要素１０５、１０６は、半透明な青色であり得る。中間エリア１２２は、第二の色である。例えば、中間エリア１２２は、無色透明であり得る。
【００１９】
第二のファスナー条片１０４の第一及び第二の開閉要素１０８、１１０は、第三の色である。例えば、第一及び第二の開閉要素１０８、１１０は、不透明な黄色であり得る。中間エリア１２１は、第四の色である。例えば、中間エリア１２１は、無色透明又は不透明な白であり得る。上記の色から明らかなように、本発明の目的が達成される限りにおいては、開閉要素の色は、与えられた開閉デバイスで繰返すことができる。
【００２０】
図３Ａ及び図３Ｂに開閉デバイスの閉動作を示す。ユーザーは矢印１２３、１２４の方向に力を適用する。第一のファスナー条片１０３の第一の雄型の開閉要素１０５が、第二のファスナー条片１０４の第一の雌型の開閉要素１０８と係合する。同様に、第一のファスナー条片１０３の第二の雄型の開閉要素１０６が、第二のファスナー条片１０４の第二の雌型の開閉要素１１０と係合する。図３Ｂに示すように、開閉デバイスが閉状態にされると、係合している雄型の開閉要素のフック部１１８、１２０が、雌型の開閉要素のフック部１１４、１１５と係合する。
【００２１】
図３Ａ及び図３Ｂは、本発明の一つの実施例を示す。各ファスナー条片１０３、１０４の中間エリア１２１、１２２は、透明、半透明又は無色透明である。説明を目的として、中間エリア１２１、１２２をこの実施例では無色透明とする。開閉要素１０５、１０６は、第一の色（例えば、半透明の青色）である。開閉要素１０８、１１０は、第二の色（例えば、不透明な黄色）である。よって、図４に示すように、閉状態にある開閉デバイスは、それぞれ他と全く別の三つの区別バンド１６２、１６３、１６４を有する。これらバンド１６２、１６３、１６４は、それぞれ、緑色、透明及び緑色である。
【００２２】
開閉要素の他の色の組合せにより、下記の表１のような第三の色を生じさせる。
【表１】
2007534443.tif 000003
【００２３】
また、図３Ａは、閉状態になる前に開閉デバイスに入射する入射光を示す。この例では、開閉要素１０５、１０６は半透明な青色であり、中間エリア１２２は無色透明であり、開閉要素１０８、１１０は不透明な黄色であり、中間エリア１２１は無色透明である。無色の光線１３０が半透明な青色の開閉要素１０５を通過し、不透明な黄色の開閉要素１０８に当たった後に屈曲し、青緑色の光線が半透明な青色の開閉要素１０５を通過して出て行く。ここで、用語“屈曲”は、これらに限定されないが、反射及び屈折を含む。また、無色の光は、これらに限定されないが、不可視の日光、白熱電灯の光及び蛍光灯の光を含む。無色の光線１３２は、無色透明の中間エリア１２２を通過し、無色の光線が無色透明の中間エリア１２１を通過して出て行く。無色の光線１３４は、無色透明な中間エリア１２１を通過し、青色の光線が、半透明の青色の開閉要素１０６を通じて出てくる。無色の光線１３６は、半透明の青色の開閉要素１０６を通過し、青色の光線が、この半透明の青色の開閉要素１０６を通じて出てくる。
【００２４】
光線は、無色透明な中間エリア１２１、１２２を通じて開閉デバイスに入射できる例えば、中間エリア１２１が不透明である場合、光線１３４は、開閉デバイスに入ることができない。開閉デバイスに入り込む付加的な光線が変色効果を向上させる。
【００２５】
図５Ａ〜図５Ｃ及び図６Ａ〜図６Ｃは、所定の場所に光線を向けることができるレンズとして中間エリアを使用する実施例を示す。材料及び構造は、光線の所望の屈曲を達成できるように選択され得る。図５Ａを参照する。ファスナー条片の係合側の中間エリア５２１、５２２が凹状である。図５Ｂを参照する。ファスナー条片の係合側の中間エリア６２１、６２２が凸状である。図５Ｃを参照する。ファスナー条片の係合側の中間エリア７２１、７２２が凹状であり、非係合側が凸状である。図６Ａでは、ファスナー条片の係合側の中間エリア８２１、８２２が凸状であり、非係合側が凹状である。図６Ｂでは、ファスナー条片の係合側の中間エリア９２１、９２２が凹状であり、非係合側も凹状である。図６Ｃでは、ファスナー条片の係合側の中間エリア１０２１、１０２２が凸状であり、非係合側も凸状である。また、これらファスナー条片は、様々な組合せができる。例えば、図３Ａのファスナー条片１０３と図５Ａのファスナー条片５０４と組み合わせることができる。他の例として、図５Ｃｎｏファスナー条片７０３と図６Ａのファスナー条片８０４を組み合わせることができる。レンズ構造は、係続中の米国特許出願第０８／６７３６５３号（１９９６年６月２８日出願）に開示されているように、開閉デバイスの閉状態時又は開状態時のファスナー条片の変形により形成され得る。当然に、凹面、凸面、多重凹面及び／又は凸面以外のレンズ構造が、所望の効果を達成できるように使用できる。このレンズ特徴は、ここで説明される任意の実施例で適宜に使用できる。
【００２６】
図７Ａ及び図７Ｂは、本発明の他の実施例を示す。第一のファスナー条片１０３Ａの開閉要素１０５Ａ、１０６Ａは、半透明な青色のような第一の色である。中間エリア１２２Ａは、無色透明である。第二のファスナー条片１０４Ａの開閉要素１０８Ａ、１１０Ａは、不透明な黄色のような第二の色である。中間エリア１２１Ａは、白色のような第三の色である。よって、図８に示すように、閉状態にある開閉デバイスは、それぞれ全く別の三つの区別バンド１６２Ａ、１６３Ａ，１６４Ａを有する。バンド１６２Ａ、１６３Ａ、１６４Ａは、それぞれ、緑色、白色、及び緑色である。
【００２７】
図７Ａ及び図７Ｂは、閉状態前の開閉デバイスに入る入射光も示す。この例のため、開閉要素１０５Ａ、１０６Ａは、半透明な青色であり、中間エリア１２２Ａは、無色透明であり、開閉要素１０８Ａ、１１０Ａは、不透明な黄色であり、中間エリア１２１Ａは、白色である。無色の光線１３０Ａが、半透明の青色の開閉要素１０５Ａを通過し、不透明な黄色の開閉要素１０８Ａに当たった後に屈曲し、青緑色の光線が半透明の青色の開閉要素１０５Ａから出て行く。無色の光線１３２Ａは、透明な中間エリア１２２Ａを通過し、白色の中間エリア１２１Ａに当たった後に屈曲し、青色の光線が、半透明な青色の開閉要素１０６Ａを通じて出て行く。無色の光線１３４Ａは、白色の中間エリア１２１Ａに当たった後に、白色の光線となって、屈曲する。無色の光線１３６Ａは、半透明の青色の開閉要素１０６Ａを通過し、青色の光線となって半透明の青色の開閉要素１０６Ａから出て行く。
【００２８】
中間エリア１２１Ａは、開閉デバイスの他の色のバックグランド（又は、背景）を与える。例えば、中間エリア１２１Ａが白色である場合、光線１３２Ａは、青色の光線となって出て行く。中間エリア１２１Ａが他の色である場合、この色は光線１３２Ａに影響し得る。よって、中間エリアは、変色効果を向上させる背景色を与えることができる。
【００２９】
図９Ａ及び図９Ｂは、本発明の他の実施例を示す。第一のファスナー条片１０３Ｂの開閉要素１０５Ｂ、１０６Ｂと、第二のファスナー条片１０４Ｂの中間エリア１２１Ｂとが、透明な青色のような第一の色である。第一のファスナー条片１０３Ｂの中間エリア１２２Ｂと、第二のファスナー条片１０４Ｂの開閉要素１０８Ｂ、１１０Ｂとが、不透明な黄色のような第二の色である。これらファスナー条片で開閉デバイスを閉状態にすると、開閉デバイスは、開閉デバイスのいずれかの側で目視できる三つの色の区別バンドを有する。例えば、図１０Ａに示すように、開閉デバイスの一方の側のバンド１６２Ｂ、１６３Ｂ、１６４Ｂは、それぞれ、緑色、黄色及び緑色である。図１０Ｂに示すように、開閉デバイスの他方の側のバンド１６２Ｃ、１６３Ｃ、１６４Ｃは、それぞれ、黄色、緑色及び黄色である。緑色が開閉デバイスの両側に現れるので、デバイスは、開閉デバイスのいすれの側にも閉状態であることを示す視覚的な指示を与える。
【００３０】
図９Ａは、閉状態前の開閉デバイスに入る入射光も示す。この例のため、開閉要素１０５Ｂ．１０６Ｂは半透明な青色であり、中間エリア１２２Ｂは不透明な黄色であり、開閉要素１０８Ｂ，１１０Ｂは不透明な黄色であり、中間エリア１２１Ｂは半透明な青色である。無色の光線１３０Ｂは、半透明の青色の開閉要素１０５Ｂに入り、不透明な黄色の開閉要素１０８Ｂに当たった後に屈曲し、青緑色の光線となって半透明な青色の開閉要素１０５Ｂを通じて出て行く。無色の光線１３２Ｂは、不透明な黄色の中間エリア１２２Ｂに当たった後に、屈曲して、黄色の光線となる。無色の光線１３４Ｂは、半透明な青色の中間エリア１２１Ｂに入り、青色の光線となって半透明の青色の開閉要素１０６Ｂから出て行く。無色の光線１３６Ｂは、半透明な青色の開閉要素１０６Ｂに入り、青色の光線となって半透明の青色の開閉要素１０６Ｂから出て行く。
【００３１】
図１１Ａは、本発明の他の実施例を示す。第一のファスナー条片１０３Ｄの第一の開閉要素１０５Ｄが第一の色であり、第一のファスナー条片１０３Ｄの第二の開閉要素１０６Ｄが第二の色である。また、第二のファスナー条片１０４Ｄの第一の開閉要素１０８Ｄが第三の色であり、第二のファスナー条片１０４Ｄの第二の開閉要素１１０Ｄが第四の色である。第一のファスナー条片１０３Ｄの第一の中間エリア１２２Ｄは第七の色であり、第二のファスナー条片１０４Ｄの第二の中間エリア１２２Ｄが第八の色である。これらファスナー条片で開閉デバイスを閉状態にすると、第一と第三の色が第五の色を生じさせ、第二と第四の色が第六の色を生じさせ、第七と第八の色が第九の色を生じさせる。
【００３２】
例えば、第一の色を半透明の青色とし、第三の色を不透明な黄色とすると、第五の色が緑色となる。第二の色を半透明な白色とし、第四の色を不透明な黒色とすると、第六の色が灰色となる。第七の色を不透明な青色とし、第八の色を半透明な赤色とすると、第九の色が紫色となる。開閉デバイスは、開閉デバイスのいずれの側からも目視できる三つの色の区別バンドを有する。例えば、図１１Ｂに示すように、開閉デバイスの一方の側のバンド１６２Ｄ、１６３Ｄ、１６４Ｄは、それぞれ、緑色、青色及び灰色である。図１１Ｃに示すように、開閉デバイスの他方の側のバンド１６２Ｅ、１６３Ｅ、１６４Ｅは、それぞれ、黄色、紫色及び黒い炉である。変色効果が開閉デバイスの両側に現れるので、デバイスは、開閉デバイスのいずれの側からも閉状態であることを示す視覚的な指示を与える。
【００３３】
開閉デバイスの他の組合せが利点的に用いられ得る。例えば、図１２は、二つのファスナー条片１４０、１４１を含む開閉デバイスを示す。各ファスナー条片は、三つの開閉要素１４０Ａ〜１４０Ｃ、１４１Ａ〜１４１Ｃを含む。図１２に示す開閉要素は、全て、図２に示すのと同様のＵ字溝形の開閉要素である。しかし、他の開閉要素を使用してもよい。所望であれば、ファスナー条片は、さらに、より多数の開閉要素を含み得る。色の数は、付加される各一対の開閉要素と各一対の中間エリア用に六色だけ増加する。
【００３４】
図１３は、本発明に従った開閉デバイス２２１の他の実施例を示す。開閉要素２４５，２４６、２４７、２４８は、ファスナー条片２４９、２５０を形成するように、側壁２２に分離して押出成形されたものである。図示のように、第一のファスナー条片２４９の第一及び第二の開閉要素２４５、２４６の各々は、ファスナー条片のベース部となる側壁から突き出している。第一の開閉要素２４５のベース部２５２と第二の開閉要素２４６のベース部２５４との間の側壁２２Ａのエリア２５１は、ファスナー条片２４９の中間エリア２５１を形成する。同様に、第一の開閉要素２４７のベース部２５７と第二の開閉要素２４８のベース部２５８との間のエリア２５６は、ファスナー条片２５０の中間エリア２５６を形成する。
【００３５】
開閉要素２４５、２４６、２４７、２４８は、上記のような色を含み得る。例えば、開閉要素２４５、２４６は、半透明な青色であり、開閉要素２４７、２４８は、不透明な黄色であり得る。また、中間エリア２５１、２５６は、上記のような色を含み得る。例えば、中間エリア２５１は、無色透明であり、中間エリア２５６は、無色透明又は不透明な白色であり得る。不透明な白色は、塗料又は他の材料を適用するか又は中間エリア２５６にある側壁２２Ｂの白色部分を押出成形することによって作り出し得る。
【００３６】
ファスナー条片２４９、１５０は、図２〜図７Ｂのファスナー条片と同じやり方で閉状態にされ、同様の変色効果を達成する。
【００３７】
図１４は、本発明に従った開閉デバイスの他の実施例を示す。開閉デバイス３２１は、第一のファスナー条片３７４と第二のファスナー条片３８４を含む。ファスナー条片３７４は、中間エリア３７７によって分離された二つの雄型のアローヘッド開閉要素３７５、３７６を含む。雄型のアローヘッド開閉要素３７５、３７６の各々は、ベース部３７８Ａ、３７８Ｂを含む。ベース部３７８Ａ、３７８Ｂは、これらから突き出すウェブ３８０Ａ、３８０Ｂを有し、各ウェブは、各ウェブから突き出したフック部３８２Ａ、３８２Ｂ、３８３Ａ、３８３Ｂを含む。
【００３８】
第二のファスナー条片３８４は、ファスナー条片上の中間エリア３８８によって分離される雌方の開閉要素３８５、３８６を含む。雌型の開閉要素３８５、３８６の各々は、ベース部３８９Ａ、３８９Ｂを含む。ベース部３８９Ａ、３８９Ｂは、これらから平行に間隔をあけて突き出して配置された一対のウェブ３９０Ａ、３９０Ｂ、３９１Ａ、３９１Ｂを有する。これらウェブは、内向きに向き合ったフック部３９２Ａ、３９２Ｂ、３９４Ａ、３９４Ｂを有する。
【００３９】
第一のファスナー条片の開閉要素３７５、３７６は、第一の色である。例えば、開閉要素３７５、３７６は、半透明な青色である。また、中間エリア３７７は、第二の色である。例えば、中間エリア３７７は、無色透明である。
【００４０】
第二のファスナー条片の開閉要素３８５、３８６は、第三の色である。例えば、第一及び第二の開閉要素３８５、３８６は、不透明な黄色である。中間エリア３８８は、第四の色である。例えば、中間エリア３８１は、無色透明又は不透明な白色であり得る。
【００４１】
図１５は、本発明の開閉デバイスの一つの実施例の雄型と雌型のファスナー条片を示す。様々なパラメーター（符号）のそれぞれの寸法を下記の表２に示す。
【表２】
2007534443.tif 000004
【００４２】
一般に、本発明の開閉デバイスは、熱可塑性材料（例えば、ポリエチレン、ポリプロピレン、ナイロンなど、又はこれらの組合せ）から形成され得る。よって、高密度ポリエチレン、中密度ポリエチレン及び低密度ポリエチレンのような樹脂又は樹脂混合物が、新規な本発明のファスナーを製造するために用いられ得る。好適に、開閉総素は、低密度ポリエチレンからなる。熱可塑性材料の選択は、特許請求の範囲に記載の開閉デバイスの機能を与えるような開閉デバイスの設計、そのヤング係数、所望の弾性及び可撓性に関連する。
【００４３】
本発明の開閉デバイスがシール可能なバッグに使用されるとき、ファスナー、及びバッグの本体を形成するフィルムが熱シール材料からなり得る。よって、バッグは、バッグを形成する上記の構成成分を熱シールすることによって経済的に形成できる。好適に、バッグは、高圧、低密度ポリエチレン及び線状低密度ポリエチレンの混合物からなる。
【００４４】
本発明の開閉デバイスは、押出成形又は他の既知の方法によって製造できる。開閉デバイスは、ファスナー条片を製造してからフィルムに取り付けて製造され得る。変形的に、ファスナー条片は、バッグ本体に形成したフィルムと一体的に製造され得る。また、ファスナー条片は、意図とする用途又は付加的な製造工程に依存して、一方又は両方のファスナー条片上にフランジを有するように又はフランジを有さないように製造され得る。フランジの使用は、当業者には既知である。
【００４５】
開閉デバイスが、ファスナー条片を製造してからフィルムに取り付けて製造される場合、デバイスは、いずれの多くの既知の方法を使用することによって容器の側壁に一体的に結合され得る。例えば、熱電デバイスが、ファスナー条片のフランジに接触してフィルムに適用でき、又は熱電デバイスが、フランジを有さない開閉要素のベース部に接触して適用でき、フィルムを通じる熱伝導が、フィルムと開閉要素のフランジ又はベース部との界面を溶融する。適当な熱電デバイスは、過熱回転ディスク、移動過熱バンド、抵抗過熱ワイヤーなどを含む。ファスナー条片と容器の結合は、ホットメルト接着剤、フィルムにホットエアージェットを適用して溶融させる方法、超音波過熱、又は他の既知の方法によって達成できる。
【００４６】
開閉デバイスの色は、製造（同時押出成形）中に開閉デバイスの素材に加えてもよいし、また色は、開閉デバイス又は容器の側壁の部分にペイントなどにより適用してもよい。
【００４７】
よって、本発明は、従来技術の欠点を克服する開閉デバイスを提供する。特に、本発明は、変色効果を有する開閉デバイスを提供する。
【００４８】
本発明の特定的な実施例を示したが、特に、上記の教示に従って閉鉱物が当業者になされ得ることから、本発明はこれら実施例に限定されない。したがって、本発明は、いずれのこのような変更物を網羅し、本発明の精神及び範囲内の改良物の本質的な特徴を構成する特徴を組み入れた特許請求の範囲により限定されるものである。
【図面の簡単な説明】
【００４９】
【図１】図１は、プラスチック製のバッグの形態にある本発明に従った容器の斜視図を示す。
【図２】図２は、図１の２−２線断面図であり、本発明の開閉デバイスのファスナー条片を示す。
【図３】図３Ａは、開位置にある一つの実施例の断面図であり、光線が開閉デバイスに当たるところを示し、図３Ｂは、閉位置にある図３Ａの実施例を示す。
【図４】図４は、容器の部分正面図であり、図３Ｂの開閉デバイスの変色エリアを示す。
【図５】図５Ａは、閉位置にある他の実施例の断面図であり、中間エリアのレンズ特徴を示し、図５Ｂは、閉位置にある他の実施例の断面図であり、中間エリアのレンズ特徴を示し、図５Ｃは、閉位置にある他の実施例の断面図であり、中間エリアのレンズ特徴を示す。
【図６】図６Ａは、閉位置にある他の実施例の断面図であり、中間エリアのレンズ特徴を示し、図６Ｂは、閉位置にある他の実施例の断面図であり、中間エリアのレンズ特徴を示し、図６Ｃは、閉位置にある他の実施例の断面図であり、中間エリアのレンズ特徴を示す。
【図７】図７Ａは、開位置にある他の実施例の断面図であり、光線が開閉デバイスに当たるところを示し、図７Ｂは、閉位置にある図７Ａの実施例を示す。
【図８】図８は、容器の部分正面図であり、図７Ｂの開閉デバイスの変色エリアを示す。
【図９】図９Ａは、開位置にある他の実施例の断面図であり、光線が開閉デバイスに当たるところを示し、図９Ｂは、閉位置にある図９Ａの実施例を示す。
【図１０】図１０Ａは、容器の部分正面図であり、図９Ｂの開閉デバイスの一方の側の変色エリアを示し、図１０Ｂは、容器の部分正面図であり、図９Ｂの開閉デバイスの他方の側の変色エリアを示す。
【図１１】図１１Ａは、閉位置にある他の実施例の断面図であり、図１１Ｂは、容器の部分正面図であり、図１１Ａの開閉デバイスの一方の側の変色エリアを示し、図１１Ｃは、容器の部分正面図であり、図１１Ａの開閉デバイスの他方の側の変色エリアを示す。
【図１２】図１２は、本発明の開閉デバイスの他の実施例の断面図であり、三つの開閉要素を有するファスナー条片を示す。
【図１３】図１３は、本発明の他の実施例の断面図であり、容器の側壁又はファスナー条片に別々に適用された開閉要素を有する開閉デバイスを示す。
【図１４】図１４は、本発明に従った開閉デバイスの他の実施例の断面図である。
【図１５】図１５は、本発明の開閉デバイスの一つの実施例の断面図である。
【符号の説明】
【００５０】
２０・・・バッグ
２１、１２１・・・開閉デバイス
２２・・・側壁
２５・・・シーム
２７・・・入口部
１０３・・・第一のファスナー条片
１０４・・・第二のファスナー条片
１０５、１０６・・・Ｕ字溝形の雄型の開閉要素
１０８、１１０・・・Ｕ字溝形の雌型の開閉要素１０８、１１０を含む。
１１１、１１９・・・ベース部
１１２、１１３、１１６、１１７・・・ウェブ
１１４、１１５・・・フック部
１２１、１２２・・・中間エリア
１１８、１２０・・・フック部
【図１】
2007534443.tif 000005
【図２】
2007534443.tif 000006
【図３】
2007534443.tif 000007
【図４】
2007534443.tif 000008
【図５】
2007534443.tif 000009
【図６】
2007534443.tif 000010
【図７】
2007534443.tif 000011
【図８】
2007534443.tif 000012
【図９】
2007534443.tif 000013
【図１０】
2007534443.tif 000014
【図１１】
2007534443.tif 000015
【図１２】
2007534443.tif 000016
【図１３】
2007534443.tif 000017
【図１４】
2007534443.tif 000018
【図１５】
2007534443.tif 000019
【国際調査報告】
2007534443.tif 000020